(57)【要約】【課題】管の径に関わらず使用することができ、管の接合だけでなく解体にも使用することができ、取扱い及び操作が簡単で、管の接合作業及び解体作業の効率を向上させ得る管接合具を提供することを課題とする。【解決手段】管の外周面に当接する着座部３及びチェーンレバーの一方のフックを引掛ける第１フック掛け７を有する枠体２と前記枠体２に設置される索体１３とから成り、前記枠体２には、前記索体１３の一端の固定手段１４を設けると共に、前記索体１３の他端部側の任意の個所を係止する索体係止手段１６を設け、前記索体１３の一端の固定手段１４は、前記索体１３を引絞る機能を有する。【選択図】図３
2005106182.tif 000002
【特許請求の範囲】
【請求項１】
管の外周面に当接する着座部及びチェーンレバーの一方のフックを引掛ける第１フック掛けを有する枠体と、前記枠体に取り付けられる索体とから成り、前記枠体には、前記索体の一端の固定手段を設けると共に、前記索体の他端部側の任意の個所を係止する索体係止手段を設け、前記索体の一端の固定手段は、前記索体を引絞る機能を有するものであることを特徴とする管接合具。
【請求項２】
前記索体の一端の固定手段は、前記枠体にネジ付けられる調整ボルトである請求項１に記載の管接合具。
【請求項３】
前記索体はチェーンであり、前記索体の他端部側の係止手段は、前記チェーンを構成する金属環の厚みよりも大で、その幅よりも小の溝幅を有するＵ字形の索体止めである請求項１又は２に記載の管接合具。
【請求項４】
前記枠体は、対向する２側面に跨るロッド挿通部を有する請求項１乃至３のいずれかに記載の管接合具。
【請求項５】
前記枠体は、前記ロッド挿通部設置側面と異なる対向する２側面の各外側に第２フック掛けを有する請求項１乃至４のいずれかに記載の管接合具。
【請求項６】
前記第１フック掛けは、前記ロッド挿通部上に立設される請求項１乃至５のいずれかに記載の管接合具。
【発明の詳細な説明】
【技術分野】
【０００１】
本発明は管接合具、より詳細には、例えば、地下に埋設されて上下水路として用いられる、ＮＳ形ダクタイル管と呼ばれる管その他の管の接合及び解体のために用いられる管接合具に関するものである。
【背景技術】
【０００２】
上記種類の管接合具としては、特開２００１−７４１６４号公報等に記載のものが知られている。それは、図７及び図８に示すように、互いに接合される一方および他方の管１０１、１０２の外周にそれぞれ固定される第１および第２の固定具１２２、１２３と、一方の固定具１２３における周方向に距離をおいた一対の位置に一端側および他端側がそれぞれ接続される索体１４８と、他方の固定具１２２に取り付けられて、一方の固定具１２３から他方の固定具１２２に向けて管軸方向に配置された索体１４８の中間部が他方の固定具１２２の位置において方向転換するように掛けられるガイド部材１４０と、索体１４８に緊張力を付与することで第１の固定具１２２と第２の固定具１２３とを互いに接近する方向に移動させる緊張力付与手段１４７とを有することを特徴とする。
【０００３】
この従来の管接合具の場合は、第１及び第２の固定具として、一対の環状体１２２、１２３を有しており、各環状体１２２、１２３は、周方向二つ割りに構成されて、一対のＣ字形の本体部１２４、１２５を有し、周方向に沿った二か所の分割部でこれら本体部１２４、１２５が締結部１２６によって互いに接合されることで、環状に組み立てられた状態で管１１１、１１２の外周に固定される。
【０００４】
従って、この従来の管接合具の場合は、各環状体１２２、１２３は一定の管径の管に対してしか使用することができず、汎用性に欠ける。
【特許文献１】特開２００１−７４１６４
【特許文献２】特開２０００−２６６２３６
【特許文献３】特開２０００−２６６２３７
【発明の開示】
【発明が解決しようとする課題】
【０００５】
本発明は上記従来の管接合具における欠点を除去するためになされたものであって、管の径に関わらず使用することができ、管の接合だけでなく解体にも使用することができ、取扱い及び操作が簡単で、管の接合作業及び解体作業の効率を向上させ得る管接合具を提供することを課題とする。
【課題を解決するための手段】
【０００６】
本発明は、管の外周面に当接する着座部及びチェーンレバーの一方のフックを引掛ける第１フック掛けを有する枠体と前記枠体に設置される索体とから成り、前記枠体には、前記索体の一端の固定手段を設けると共に、前記索体の他端部側の任意の個所を係止する索体係止手段を設け、前記索体の一端の固定手段は、前記索体を引絞る機能を有するものである管接合具、を以て上記課題を解決した。
【０００７】
好ましくは、前記索体の一端の固定手段は、前記枠体にネジ付けられる調整ボルトであり、前記索体はチェーンであり、前記索体の他端部側の係止手段は、前記チェーンを構成する金属環の厚みよりも大で、その幅よりも小の溝幅を有するＵ字形の索体止めである。
【０００８】
また、好ましくは、前記枠体は、対向する２側面に跨るロッド挿通部を有し、前記枠体は、前記ロッド挿通部設置側面と異なる対向する２側面の各外側に第２フック掛けを有し、前記第１フック掛けは、前記ロッド挿通部上に立設される。
【発明の効果】
【０００９】
本発明に係る管接合具は、当接面積の少ない着座部を以て管周面に当接するため、管径に関わらず使用することができ、管の接合だけでなく解体にも使用可能であり、取扱い及び操作が簡単で、管の接合作業及び解体作業の効率を向上させ得る効果がある。
【発明を実施するための最良の形態】
【００１０】
本発明の好ましい実施の形態を添付図面に依拠して説明する。図１は本発明に係る接合具１の上面斜視図、図２はその下面傾斜図、そして、図３は図１におけるＡ−Ａ線断面図である（図１及び図２においては索体を省略してある。）。
【００１１】
そこに示される接合具１は、裏面に着座部３を有する四角形の枠体２を備える。着座部３は管周面に着座しやすいように、好ましくは、図示したような山形、あるいは、湾曲形状とされる。着座部３は、その幅方向に一連のものであってもよいし、図示したように左右に分かれたものであってもよい（図２参照）。
【００１２】
枠体２の一組の対向側板５、６の中間部間には、後述する押圧ロッド２１を摺動自在に挿通支持するロッド挿通部４が設置され、その中間部に第１フック掛け７が立設される。そして、ロッド挿通部４を設置した側板５、６と異なる組の２つの側板８、９の各外側面に、第２フック掛け１０、１１が突設される。
【００１３】
ロッド挿通部４を挟み、枠体２の一方の側のコーナーにはボルト止め用コーナーブロック１２が設けられ、このコーナーブロック１２には、一端部に索体の一端が固定された調整ボルト１４がネジ込まれる。図示した例では、索体は巻付チェーン１３である。１５は、調整ボルト１４の端部に固定された索体取付部材を示す。
【００１４】
ロッド挿通部４を挟み、枠体２の他方の側のコーナーには、索体止め１６が設置される。索体止め１６は、例えばＵ字形に突出していて、その溝幅は、巻付チェーン１３の各金属環の厚みよりも大で、その幅よりも小にされる。従って、金属環の１つを横方向に移動させて索体止め１６内に進入させると、当該金属環の１つ上の当該金属環と直交状態となっている金属環が索体止め１６に引掛かることになるので、巻付チェーン１３はロックされて上下方向への移動が不可となる（図３参照）。
【００１５】
索体はこのようにして索体止め１６に係止されるので、索体としては巻付チェーン１３だけでなく、チェーンの如き強靭であって、途中に細身部と太身部を有していて、その細身部が索体止め１６内に係入し得るものであれば利用可能である。
【００１６】
図４において２１は押圧ロッドで、ロッド挿通部４に摺動自在に挿通される。押圧ロッド２１はその一端にフリーローラー２２を備え、その他端に、着脱可能にしたキャップ２３を備える。この押圧ロッド２１は、後述するように、接合した管を外すときに使用する。
【００１７】
次に図５及び図６を参照しつつ、上記構成の管接合具の使用方法について説明する。図５に示される挿口側管３１と受口側管３２を接合する場合は、先ず各管３１、３２に、それぞれ管接合具１を固定する。その固定に当っては、挿口側管３１及び受口側管３２に対して接合具１を、その着座部３を各管３１、３２の周面に当てることにより載置し、巻付チェーン１３を各管３１、３２に回す。そして、巻付チェーン１３の端部を下方から枠体２内に引き込み、枠体２を手で押さえてチェーン端部を強く引き、金属環の１つを索体止め１６内にずらし入れることにより、巻付チェーン１３を係止させる。
【００１８】
その状態では、巻付チェーン１３による各管３１、３２の締付けは十分ではなく、巻付チェーン１３は各管３１、３２の長さ方向にずらし動かすことが可能である。そこで、調整ボルト１４をコーナーブロック１２に対してネジ戻すことにより、巻付チェーン１３の固定側端部を引き上げる。かくして巻付チェーン１３が引き絞られ、各管３１、３２に対し、確固と締付けた状態に巻付き、各管３１、３２の長さ方向へずれ動かなくなる。
【００１９】
このようにして、挿口側管３１と受口側管３２の対応する位置に一対の接合具１を取り付けるが、接合時に管同士が傾くことを回避し、バランスよく、真直に接合することを可能にするため、通例、接合具１は、各管３１、３２の両側の対称的位置に配置することとし、１度の接合に４つの接合具１を用いることとする。
【００２０】
接合具１の取付け後、チェーンレバー２５の上フック２８を受口側管３２の接合具１の第１フック掛け７に掛け、また、チェーンレバー２５の下フック２７を挿口側管３１の接合具１の第１フック掛け７に掛ける。各管３１、３２の反対側の接合具１、１間においても、同様にしてチェーンレバー２５ａの上フック２８と下フック２７を第１フック掛け７に掛ける。
【００２１】
かくして、チェーンレバー２５とチェーンレバー２５ａを交互に操作し、各チェーンレバー２５、２５ａの上フック２８と下フック２７とが近付くように作用させると（図５参照）、挿口側管３１が次第に受口側管３２内に引込まれていく。この接合作業に際しては、予め挿口側管３１の周面に、引込位置を示す線等を表示しておく。
【００２２】
接合作業終了後は、各チェーンレバー２５、２５ａを緩めて上下フック２７、２８を外し、また、各接合具１を外す。接合具１を外すには、その取付時と逆の操作、即ち、調整ボルト１４をネジ込んで巻付チェーン１３を緩め、巻付チェーン１３の金属環を索体止め１６から外す。
【００２３】
次いで、第６図を参照しつつ、挿口側管３１を受口側管３２から抜き取る解体操作について説明する。通例、接合管の解体に際しては、予め、受口側管３２の受口部内面に嵌合されて挿口側管３１の挿口部をロックしているロックリングを外すために、例えば８本の解体矢が受口部と挿口部との隙間に打ち込まれ、その状態のまま解体作業が行なわれる。
【００２４】
解体作業の場合は接合具１は、挿口側管３１にのみ取り付ける。この場合も接合具１は、２つ対称的に取り付けることが好ましい。取り付け後接合具１のロッド挿通部４に押圧ロッド２１を、キャップ２３を外して挿通し、先端にキャップ２３を嵌め付け、キャップ２３を受口側管３２の端面に当てがう。
【００２５】
次いで、チェーンレバー２５、２５ａの上下フック２７、２８を、それぞれ接合具１の第２フック掛け１０、１１に引掛ける。その際、上下フック２７、２８の一方の側のフック付きチェーン２６を、押圧ロッド２１のフリーローラー２２に巻き掛ける。
【００２６】
かくしてチェーンレバー２５、２５ａを操作すると、フック付きチェーン２６が巻き込まれるために押圧ロッド２１が押圧され、その先端キャップ２３において受口側管３２の端面が押される結果、挿口側管３１が受口側管３２から引き抜かれる。
【図面の簡単な説明】
【００２７】
【図１】本発明に係る管接合具の上面斜視図である。
【図２】本発明に係る管接合具の下面斜視図である。
【図３】図１におけるＡ−Ａ線断面図である。
【図４】解体作業時に用いる押圧ロッドを示す図である。
【図５】本発明に係る管接合具の接合時の使用状態図である。
【図６】本発明に係る管接合具の解体時の使用状態図である。
【図７】従来の管接合具の構成を示す図である。
【図８】従来の管接合具の構成を示す図である。
【符号の説明】
【００２８】
１    接合具
２    枠体
３    着座部
４    ロッド挿通部
５    側板
６    側板
７    第１フック掛け
８    側板
９    側板
１０    第２フック掛け
１１    第２フック掛け
１２    コーナーブロック
１３    巻付チェーン
１４    調整ボルト
１５    索体取付部材
１６    索体止め
２１    押圧ロッド
２２    フリーローラー
２３    キャップ
２５    チェーンレバー
２５ａ  チェーンレバー
２６    フック付きチェーン
２７    フック
２８    フック
３１    挿口側管
３２    受口側管
【図１】
2005106182.tif 000003
【図２】
2005106182.tif 000004
【図３】
2005106182.tif 000005
【図４】
2005106182.tif 000006
【図５】
2005106182.tif 000007
【図６】
2005106182.tif 000008
【図７】
2005106182.tif 000009
【図８】
2005106182.tif 000010